(57)【要約】【課題】床面と、床面から立ち上がった壁裾面の清掃を、１台で兼用して行うことができると共に、床面を清掃する時に、床面の隅まで綺麗に清掃することができ、また、上記壁裾面を清掃する時には、強い力を加えなくても清掃部材を壁面に押接しながら清掃を行って、壁裾面を均一に綺麗に清掃できるように工夫した清掃機を提供する。【解決手段】モータによって高速回転される清掃部材３を備えたモータケーシング１Ｔに、先端に補助輪９を取付けた取付枠５を回動自在に取付け、この取付枠５をモータケーシング１Ｔの上側部に位置する床面清掃時の位置と、モータケーシング１Ｔの前方部に傾斜回動した壁裾面清掃時の位置とに、切換えて固定できるようにする。【選択図】　　　図４
2004041419.tif 000002
【特許請求の範囲】
【請求項１】
モータによって清掃部材を高速回転することによって、床面と、床面から立ち上がる壁裾面の双方の清掃を兼用して行うことができる清掃機であって、
内部に上記のモータを納め、底部に上記の清掃部材を設けたモータケーシングの後側部に、操作用ハンドルを上下起伏回動自在に取付ける一方、上記モータケーシングに対して上下回動自在に取付けた取付枠の先端部分に補助輪を回転自在に取付けて、この取付枠を上記モータケーシングの上側部に退避回動させた床面清掃時の位置と、モータケーシングの前方部に傾斜回動させた壁裾面清掃時の位置とに、切換えて固定できるように構成したことを特徴とする清掃機。
【請求項２】
前記取付枠の全体を、前記モータケーシングの上側部を跨ぐように天板の両側部に左右の支持板を連設した略門型に形成して、これ等左右の支持板の基部を上記モータケーシングの左右両側部に回動自在に軸着すると共に、上記天板部分に補助輪を回転自在に取付けたことを特徴とする請求項１に記載の清掃機。
【請求項３】
前記取付枠の壁裾面清掃時に於ける固定位置が、少くとも前記清掃部材の底部清掃面の線に対して平行以上の角度に傾斜回動された位置であることを特徴とする請求項１又は２に記載の清掃機。
【請求項４】
前記補助輪が、前記取付枠の天板部分に清掃機の前後方向に対して横方向にのみ回転するように軸支されていることを特徴とする請求項１、２又は３に記載の清掃機。
【請求項５】
前記モータケーシングに対する取付枠の回動角度を、所定の角度に固定できるように構成したことを特徴とする請求項１、２、３又は４に記載の清掃機。
【請求項６】
前記取付枠の長さを調節自在に構成したことを特徴とする請求項１、２、３、４又は５に記載の清掃機。
【請求項７】
前記補助輪の全体を球形状に形成すると共に、少くとも２個、又は、２個以上の補助輪を、前記取付枠の天板部分に、横に並べた状態で、且つ、横方向にのみ回転するように取付けたことを特徴とする請求項１、２、３、４、５又は６に記載の清掃機。
【発明の詳細な説明】
【０００１】
【発明の属する技術分野】
本発明は、例えばブラシやバフのような清掃部材をモータで高速回転することにより、床面の清掃や磨きを行うポリッシャー（床面磨き機）の技術分野に属するものであって、具体的には、床面と、床面から立ち上がる壁裾面の清掃や磨き作業を、１台で兼用して行うことができるように工夫した清掃機に関するものである。
【０００２】
【従来の技術】
１台の清掃機を複数種の清掃に兼用することができる兼用タイプの清掃機に付いては、従来より例えば実公平５−１５９０８号公報に記載されている階段掃除器が存在するる
この階段掃除器は、通常状態では清掃部材３の回転によって図２に示すように階段の踏板Ａを清掃することができ、また、掃除器を傾動して把持した時には、上記清掃部材３の回転によって図１に示すように階段の蹴込板Ｂを清掃することができる仕組に成っている。
【０００３】
【発明が解決しようとする課題】
しかし、上記の階段掃除器は、踏板Ａを清掃する場合に、図２に記載されているように基板６や着座片５によって構成される階段踏板着座用支持台枠４が、階段の蹴込板Ｂに接触又は近接するため、例えばこの階段掃除器を用いて通常の床面や、この床面から立ち上がった壁裾面を清掃する場合に、上記の階段踏板着座用支持台枠４が壁面に先に接触して、床面の隅を綺麗に清掃できないとか、壁裾面に階段踏板着座用支持台枠４の着座片５が当って、壁面を汚したり壊したりする問題が発生していた。
【０００４】
また、清掃部材３を回転しながら掃除器を横移動して壁面を横方向に清掃する場合に、高速回転する清掃部材３と壁面との間に発生する反作用により、清掃部材３が常に壁面から離れる方向に作用して、壁面に対する清掃部材３の接触圧が弱くなるため、この接触圧を保つために清掃部材３を含むモータケーシングの全体を壁面に対して強く押し付けながら清掃を行う必要が生じ、その結果、壁面の清掃には可成りの腕力と体力を必要とする問題と、壁面を均一に綺麗に清掃することが難しい問題とがあった。
【０００５】
従って本発明の技術的課題は、床面と、床面から立ち上がった壁裾面の清掃を、１台で兼用して行うことができると共に、床面を清掃する時に、床面の隅まで綺麗に清掃することができ、また、上記壁裾面を清掃する時には、強い力を加えなくても清掃部材を壁面に押接しながら清掃を行って、壁裾面を均一に綺麗に清掃できるように工夫した清掃機を提供することである。
【０００６】
【課題を解決するための手段】
上記の技術的課題を解決するために本発明だ講じた手段は以下の如くである。
【０００７】
（１）　前記請求項１に記載の如く、モータによって清掃部材を高速回転することによって、床面と、床面から立ち上がる壁裾面の双方の清掃を兼用して行うことができる清掃機であって、内部に上記のモータを納め、底部に上記の清掃部材を設けたモータケーシングの後側部に、操作用ハンドルを上下起伏回動自在に取付ける一方、上記モータケーシングに対して上下回動自在に取付けた取付枠の先端部分に補助輪を回転自在に取付けて、この取付枠を上記モータケーシングの上側部に退避回動させた床面清掃時の位置と、モータケーシングの前方部に傾斜回動させた壁裾面清掃時の位置とに、切換えて固定できるように構成したことを特徴とする。
【０００８】
（２）　また、前記請求項２に記載の如く、前記取付枠の全体を、前記モータケーシングの上側部を跨ぐように天板の両側部に左右の支持板を連設した略門型に形成して、これ等左右の支持板の基部を上記モータケーシングの左右両側部に回動自在に軸着すると共に、上記取付枠の天板部分に補助輪を回転自在に取付けたことを特徴とする。
【０００９】
（３）　前記請求項３に記載の如く、前記取付枠の壁裾面清掃時に於ける固定位置が、少くとも前記清掃部材の底部清掃面の線に対して平行以上の角度に傾斜回動された位置であることを特徴とする。
【００１０】
（４）　前記請求項４に記載の如く、前記補助輪が、前記取付枠の天板部分に清掃機の前後方向に対して横方向にのみ回転するように軸支されていることを特徴とする。
【００１１】
（５）　前記請求項５に記載の如く、前記モータケーシングに対する取付枠の回動角度を、所定の角度に固定できるように構成したことを特徴とする。
【００１２】
（６）　前記請求項６に記載の如く、前記取付枠の長さを調節自在に構成したことを特徴とする。
【００１３】
（７）　前記請求項７に記載の如く、前記補助輪の全体を球形状に形成すると共に、少くとも２個、又は、２個以上の補助輪を、前記取付枠の天板部分に、横に並べた状態で、且つ、横方向にのみ回転するように取付けたことを特徴とする。
【００１４】
前記（１）と（２）で述べた手段によれば、床面清掃時には取付枠をモータケーシングの上部退避位置に回動固定するため、取付枠が清掃の邪魔になることがなく、清掃部材を壁面の縁のぎりぎりの線まで寄せて、床面の隅々まで綺麗に清掃することを可能にする。
また、床面から立ち上がった壁裾面を清掃する時には、先ず取付枠をモータケーシングの前方に突出するように傾斜回動して固定し、次いで、壁面に対して清掃部材の底面が向くような姿勢で、且つ、操作ハンドルが上部に位置するように清掃機の全体を９０度反転させた姿勢にすれば、上記取付枠が下を向いて補助輪が床面に接地して清掃機の全体を安全に状態に支持するため、清掃部材の高速回転による壁裾面の清掃を、比較的少い力で円滑に、而かも、綺麗に行うことを可能にする。
【００１５】
前記（３）で述べた手段によれば、清掃部材を壁裾面に押し当てて清掃する時に、取付枠に設けた補助輪を支点にしてテコの作用によって清掃部材を壁裾面側に押し当てることができると共に、清掃部材の高速回転に基づく壁面からの反作用に対しては、上記の補助輪が床面に食い込むようにしてその反作用を支えるため、清掃時に壁裾面（壁面）から清掃部材が離れることを抑えることができるものであって、清掃部材による壁裾面の清掃作業を比較的少い力で円滑に、且つ、均一に行って、綺麗に仕上げることを可能にする。
【００１６】
前記（４）で述べた手段によれば、補助輪を壁面に対して横方向のみに回転して、壁面と直角な方向には回転しないように構成したので、この補助輪にガイドさせながら清掃部材を壁面に沿って横方向にスムーズに移動させることができるため、清掃機の全体を操作用ハンドルを操作して壁面に沿って簡単に、且つ、安定した状態で横移動させながら、壁裾面を綺麗に清掃することを可能にする。
【００１７】
前記（５）と（６）で述べた手段によれば、モータケーシングに対する前記取付枠の回動角度と、取付枠の長さとを自由に調節可能に構成したので、清掃条件が異なる色々な清掃現場において、自在に対応して確実に清掃作業を行うことを可能にする。
【００１８】
前記（７）で述べた手段によれば、全体を球形状に形成した少くとも２個、又は、２個以上の補助輪が、横方向に間隔をあけて横方向にのみ回転するように取付けられているため、これ等複数の補助輪によって清掃器を横方向に安定した状態でスムーズに移動しながら清掃部材による壁裾面の清掃を簡単に、且つ、確実に行うことを可能にする。
【００１９】
【発明の実施の形態】
以下に、上述した本発明に係る清掃機の実施の形態を図面と共に説明すると、図１は符号１で全体的に示した本発明に係る清掃機の正面図、図２はそのモータケーシング１Ｔの内部構造を説明した正断面図、図３は本発明の実施例に係る清掃機１の平面図であって、これ等の図面に於いて、２は上記モータケーシング１Ｔの底部に設けたスカート構造の回転室、３はこの回転室２の底部に設けた例えばブラシあるいはバフ、パッドの如き清掃部材で、清掃部材３は図２に示すようにモータ１Ｍによって回転する回転軸１Ｐの下端部に止めネジ１Ｘを用いて固定されている。尚、１Ｋは清掃部材３を減速回転する遊星歯車構造の減速機である。
【００２０】
また、符号５で全体的に示したのは、上記モータケーシング１Ｔの上側部を跨ぐように全体を略門型に形成した取付枠で、この取付枠５は、左右に連設した支持板５Ｂ，５Ｂを同一方向に直角に曲げて成る天板５Ｔと、これ等左右の支持板５Ｂ，５Ｂに連設した左右の基板５Ａ，５Ａとによって構成されていて、左右の基板５Ａ，５Ａはその基部をモータケーシング１Ｔの左右両側面に取付けた取付板４，４に対して、取付軸６，６を用いて上下回動自在に取付けられている。
【００２１】
８Ａ，８Ａは、これ等左右の基板５Ａ，５Ａの各上端部５Ａ′，５Ａ′の外側面に、上記天板５Ｔの左右の支持板５Ｂ，５Ｂを沿わせた状態に取付ける調節ネジ、５Ｘ，５Ｙは各支持板５Ｂ，５Ｂの面に縦長に形成した上記各調節ネジ８Ａ，８Ｂ用のネジ孔で、上記各支持板５Ｂ，５Ｂは、これ等左右の各調節ネジ８Ａ，８Ｂを緩めたり締め直したりすることにより、各ネジ孔５Ｘ，５Ｙの長さ分だけ各基板５Ａ，５Ａの長手方向にスライドさせて、その長さ寸法を任意に調節できる仕組に成っている。
【００２２】
また、５Ｗは上記左右の基板５Ａ，５Ａの夫々の面に略円弧形状に形成したガイド長孔、７は先端側を各ガイド長孔５Ｗを挿通して前記左右の各取付板４，４にネジ込んだ締付けネジで、これ等各締付けネジ７を緩めると、上記取付枠５の全体を前記取付軸６，６を支点にして前後に回動でき、また締め付けると、取付枠５をその回動角度に固定できる仕組に成っている。
【００２３】
更に図中、９Ａ，９Ａは上記天板５Ｔの左右両側部分に間隔を開けて設けた窓穴５Ｔ′，５Ｔ′の部分に、夫々清掃器１の前後進方向に沿わせた状態に架設した左右の取付軸、９，９はこれ等各取付軸９Ａ，９Ａに対して、清掃器１の前後進方向に対して横方向（直角方向）にのみ回転するように取付けた左右の補助輪で、左右に間隔をあけて設けられたこれ等各補助輪９，９の全体は、球形状、又は、図３の如く楕円の球形状に形成されている。
【００２４】
尚、図中１０はモータケーシング１Ｔの後部に取付けた操作用ハンドル、１１は運転用の各種スイッチ類を設けた操作ボックス、１２，１２は運転用ハンドル、１４は操作用ハンドル１０をモータケーシング１Ｔに対して上下起伏回動自在に取付けた取付板、１５は操作用ハンドル１０の回動角度を任意の角度に係止する係止爪、１３はこの係止を解除するフットレバー、１６Ａは左右の移動用車輪１６，１６を取付けた支持ブラケットである。
【００２５】
本発明に係る清掃機は以上述べた如き構成であるから、先端の天板５Ｔに左右２つ又は複数個の補助輪９，９を取付けた取付枠５は、図４に示すように床面ＦＲを清掃部材３で清掃する通常運転時には、全体を図示の如くモータケーシング１Ｔの上側部を跨ぐ位置に回動して、締め付けネジ７の締め付けによってその位置に固定されているため、清掃部材３の高速回転による床面ＦＲの清掃を、補助輪９や取付枠５に邪魔されることなく、スムーズに行うことができる。
【００２６】
また、この清掃機１を床面ＦＲから立ち上がった壁裾面ＦＳの清掃に用いる場合は、上記の締め付けネジ７を緩めて取付枠５の全体を左右の取付軸６，６を支点にして、モータケーシング１Ｔの前方部側に傾斜回動する。この傾斜回動に当っては、図５に示すように取付枠５の全体を、上記清掃部材３の底部清掃面（ブラシ面）の線に対して、平行以上のθ分の角度だけ上記ブラシ面の線側に傾斜させて、上記締め付けネジ７の締め付けによってその傾斜角度を維持するように構成されている。
【００２７】
上記壁裾面ＦＳの清掃は、図５の如く清掃部材３の底部清掃面が壁裾面ＦＳに接するように、モータケーシング１Ｔの全体を略９０度反転させた状態、即ち、操作用ハンドル１０を上にした状態にして行うが、この時、取付枠５の補助輪９が図５に示すようにθ分だけ清掃部材３側に傾斜回動されているため、清掃部材３の高速回転に基づく壁裾面ＦＳからの反作用に対しては、上記の補助輪９が床面ＦＲに食い込むようにしてその反作用を支えるため、清掃時に清掃部材３の清掃面を壁裾面ＦＳから離れないように支持することができる。
【００２８】
また、上記壁裾面ＦＳの清掃に際しては、操作用ハンドル１０を操作しながらモータケーシング１Ｔを壁裾面ＦＳに沿って横移動させて行うが、この時、左右に間隔をあけて設けた横方向にのみ回転する補助輪９，９が床面に接して横移動をガイドするため、上記清掃部材３の清掃面を壁裾面ＦＳから離れないように支持する点と相俟って、清掃器１を安定した状態で横移動しながら壁裾面ＦＳを綺麗に清掃することができる。尚、図面には左右２つの補助輪９，９が示されているが、２つ以上の複数個の補助輪９…を並べて設ける場合もある。
【００２９】
更に本発明では、取付枠５の長さ（高さ）を調節ネジ８Ａ，８Ｂの操作に基づいて自由に調節できるため、壁裾面ＦＳに対する清掃部材３の高さ位置を前記ネジ孔５Ｘ，５Ｙの長さ分だけ自由に調節して、清掃条件に合った清掃を行うことができる。
【００３０】
また、上述したガイド長孔５Ｗは、取付枠５の全体を図４に示した通常運転時の状態、つまり、取付枠５がモータケーシング１Ｔの上側部を跨いだ直立位置に回動された時に、ガイド長孔５Ｗの一端部が締め付けネジ７に係合して、それ以上回動できないようにロックする一方、取付枠５を図５に示した壁裾面ＦＳを清掃する状態、即ち、取付枠５がモータケーシング１Ｔの前方部に回動された時には、ガイド長孔５Ｗの他端部が締め付けネジ７に係合して、それ以上回動できないようにロックするため、締め付けネジ７の締め付けと相俟って図４と図５に示した各運転時に於ける取付枠５の位置を、確実に維持する仕組に成っている。
【００３１】
尚、図５に示す位置に回動して固定される取付枠５は、その回動を途中で止めて締め付けネジ７で締め付けることによって、回動角度を任意の角度に設定できるため、清掃条件が異なる色々な清掃現場に於いて自在に対応させることが可能であり、更にこの取付枠５は、これを図４に示した通常運転時の位置に固定した時には、天板５Ｔの部分を持ち運び用の取っ手代りに使用することが可能となる。
【００３２】
【発明の効果】
以上述べた次第で、本発明に係る清掃機によれば、１台にて床面の清掃と、床面から立ち上がった壁裾面の清掃に使用できて大変便利であると共に、壁裾面を清掃する時は、壁裾面を清掃する位置に回動した取付枠の補助輪が、清掃部材を壁裾面に押し当てた状態に維持しながら高速回転させることができ、また、清掃部材の横方向への移動も上記の補助輪がスムーズにガイドするため、壁裾面を簡単に、且つ、綺麗に清掃できる利点を発揮できるものであって、角度調節および高さ調節がいずれも自在である点と相俟って、優れた清掃効果を発揮することができる。
【図面の簡単な説明】
【図１】本発明の実施例に係る清掃機の正面図。
【図２】本発明の実施例に係る清掃機に於けるモータケーシングの内部構造を説明した正断面図。
【図３】本発明の実施例に係る清掃機の平面図。
【図４】本発明の実施例に係る清掃機を用いて床面を清掃している状態を示した側面図。
【図５】本発明の実施例に係る清掃機を用いて壁裾面を清掃している状態を示した側面図。
【符号の説明】
１　　　　　　　清掃機
１Ｔ　　　　　　モータケーシング
３　　　　　　　清掃部材（ブラシ）
５　　　　　　　取付枠
５Ｔ　　　　　　天板
５Ａ　　　　　　基板
５Ｂ　　　　　　支持板
５Ｗ　　　　　　ガイド長孔
５Ｘ，５Ｙ　　　ネジ孔
６　　　　　　　取付軸
７　　　　　　　締め付けネジ
８Ａ，８Ｂ　　　調節ネジ
９　　　　　　　補助輪
１０　　　　　　操作用ハンドル
ＦＲ　　　　　　床面
ＦＳ　　　　　　壁裾面
【図１】
2004041419.tif 000003
【図２】
2004041419.tif 000004
【図３】
2004041419.tif 000005
【図４】
2004041419.tif 000006
【図５】
2004041419.tif 000007